(57)【要約】【課題】受信環境に応じた放送信号の雑音有無を高精度に認識できる放送受信装置を提供することにある。【解決手段】到来する放送電波を受信する受信アンテナによって、受信された放送電波の放送信号をＡＭ検波してＡＭ検波信号を取得するＡＭ検波部３１と、ＡＭ検波信号がＡＭノイズ閾値Ｖｔｈａを超えた信号部位をＡＭノイズ成分として検出するＡＭノイズ検出部３２とを有する放送受信装置１であって、放送信号をＦＭ検波してＦＭ検波信号を取得するＦＭ検波部３３と、ＦＭ検波信号のＦＭノイズレベルを検出するＦＭノイズレベル検出部３４と、ＦＭノイズレベル検出部３４にてＦＭ検波信号のＦＭノイズレベルを検出すると、当該ＦＭ検波信号のＦＭノイズレベルに基づき、ＡＭノイズ検出部３２のＡＭノイズ閾値Ｖｔｈａを設定変更する閾値制御部３６とを有する。【選択図】図２
2011199825.tif 000002
【特許請求の範囲】
【請求項１】
到来する放送電波を受信する受信部と、この受信部によって受信された放送電波の放送信号をＡＭ検波してＡＭ検波信号を取得するＡＭ検波部と、前記ＡＭ検波信号が所定雑音閾値を超えた信号部位を当該ＡＭ検波信号の雑音成分として検出するＡＭ検波用雑音検出部とを有する放送受信装置であって、
前記放送信号をＦＭ検波してＦＭ検波信号を取得するＦＭ検波部と、
前記ＦＭ検波部によって取得された前記ＦＭ検波信号に基づき、前記ＡＭ検波用雑音検出部の前記所定雑音閾値を設定変更する閾値制御部と
を有することを特徴とする放送受信装置。
【請求項２】
前記閾値制御部は、
前記ＦＭ検波部によって前記ＦＭ検波信号が取得されると、当該ＦＭ検波信号と同一信号部位のＡＭ検波信号を比較する前記ＡＭ検波用雑音検出部の前記所定雑音閾値を当該ＦＭ検波信号に基づき設定変更することを特徴とする請求項１記載の放送受信装置。
【請求項３】
前記ＦＭ検波信号の雑音レベルを検出するＦＭ検波用雑音レベル検出部と、
前記ＦＭ検波信号の雑音レベル毎に、当該雑音レベルに対応した雑音閾値を管理する閾値管理テーブルと
を有し、
前記閾値制御部は、
前記ＦＭ検波用雑音レベル検出部にて前記ＦＭ検波信号の雑音レベルを検出すると、当該ＦＭ検波信号の雑音レベルに対応する雑音閾値を前記閾値管理テーブルから読み出し、読み出した雑音閾値を前記ＡＭ検波用雑音検出部の前記所定雑音閾値に設定変更することを特徴とする請求項１又は２記載の放送受信装置。
【請求項４】
前記ＦＭ検波信号の雑音レベルを検出するＦＭ検波用雑音レベル検出部と、
前記放送信号の受信電界レベルを検出する受信電界レベル検出部と、
前記放送信号の受信電界レベル毎に、当該受信電界レベルに対応した閾値管理テーブルを管理するテーブル管理部と
を有し、
前記閾値制御部は、
前記ＦＭ検波用雑音レベル検出部にて前記ＦＭ検波信号の雑音レベルを検出すると、前記受信電界レベル検出部にて検出した現在の放送信号の受信電界レベルに対応した閾値管理テーブルを前記テーブル管理部から選択し、この選択した閾値管理テーブルから当該ＦＭ検波信号の雑音レベルに対応した雑音閾値を読み出し、読み出した雑音閾値を前記ＡＭ検波用雑音検出部の前記所定雑音閾値に設定変更することを特徴とする請求項１又は２記載の放送受信装置。
【請求項５】
前記放送信号の雑音成分を低減する雑音低減処理を前記放送信号に対して実行する雑音低減部と、
前記ＡＭ検波用雑音検出部にて検出した前記ＡＭ検波信号の雑音成分に基づき、前記雑音低減部を制御する制御部と
を有することを特徴とする請求項１〜４の何れか一つに記載の放送受信装置。
【請求項６】
前記ＡＭ検波信号の位相が反転するタイミングを検知するタイミング検知部と、
前記タイミング検知部によって検知されたタイミングを含む所定期間において検波されたＦＭ検波信号の雑音レベルを補正するＦＭ検波信号補正部と
を有し、
前記ＦＭ検波用雑音レベル検出部は、
前記ＦＭ検波信号補正部による補正後のＦＭ検波信号の雑音レベルを検出することを特徴とする請求項３、４または５に記載の放送受信装置。
【請求項７】
到来する放送電波を受信する受信ステップと、
この受信ステップによって受信された放送電波の放送信号をＡＭ検波してＡＭ検波信号を取得するＡＭ検波ステップと、
前記ＡＭ検波信号が所定雑音閾値を超えた信号部位を当該ＡＭ検波信号の雑音成分として検出するＡＭ検波用雑音検出ステップと、
前記放送信号をＦＭ検波してＦＭ検波信号を取得するＦＭ検波ステップと、
前記ＦＭ検波ステップによって取得された前記ＦＭ検波信号に基づき、前記ＡＭ検波用雑音検出ステップの前記所定雑音閾値を設定変更する閾値制御ステップと
を含むことを特徴とする放送受信装置の雑音成分検出方法。
【発明の詳細な説明】
【技術分野】
【０００１】
本発明は、例えば、到来するラジオ放送やテレビ放送等の放送電波を受信する放送受信装置及び、放送受信装置の雑音成分検出方法に関する。
【背景技術】
【０００２】
従来、車両等に搭載された放送受信装置では、到来するラジオ放送やテレビ放送等の放送電波を受信し、この受信した放送電波の放送信号を車内スピーカから音響出力している。更に、放送受信装置では、搭載車両の移動に応じて放送電波の受信環境が変動することで受信する放送信号にノイズ成分が混入してしまう。そこで、従来の放送受信装置では、搭乗者に対する放送視聴性を確保するために、放送信号のノイズ成分を除去する機能が広く普及している。
【０００３】
例えば、ＡＭ放送の場合、放送受信装置は、到来する放送電波を受信し、受信した放送電波の放送信号の中間周波数信号（以下、単にＩＦ信号と称する）をＡＭ検波してＡＭ検波信号を取得する。更に、放送受信装置は、ＡＭ検波信号のＡＭ検波レベルからＡＭノイズ成分を検出する。更に、放送受信装置は、ノイズ成分がある場合に、このノイズ成分を放送信号から除去し、その除去区間を信号補間するブランク処理を実行することで、放送信号のノイズ成分を除去する機能が広く知られている。
【０００４】
また、他の放送受信装置は、ＡＭ放送の放送電波を受信し、放送電波のＡＭ放送信号をＦＭ検波してＦＭ検波信号を取得し、このＦＭ検波信号の周波数変動成分からＦＭノイズ成分を抽出する。更に、放送受信装置は、抽出したＦＭノイズ成分のレベルが大きい場合、ＡＭ放送信号の出力レベルを小さくすることで、放送信号のノイズ成分の影響を軽減する機能が知られている。
【先行技術文献】
【特許文献】
【０００５】
【特許文献１】特開平８−２７４６６３号公報
【発明の概要】
【発明が解決しようとする課題】
【０００６】
上記従来の放送受信装置では、一定のＡＭノイズ閾値Ｖｔｈａを予め設定し、ＡＭ検波信号のＡＭ検波レベルがＡＭノイズ閾値Ｖｔｈａ以上であるか否かを判定する。更に、放送受信装置は、ＡＭ検波レベルの内、ＡＭノイズ閾値Ｖｔｈａ以上の信号部位をＡＭノイズ成分として検出する。
【０００７】
図１４は、ＩＦ信号に対するＡＭ検波レベルの一例を示す説明図である。図１４に示すＡＭ検波レベルでは、例えば、タイミングｔ１〜タイミングｔ４の４種類の受信状況が想定できる。タイミングｔ２は、実際にノイズ成分が混入し、ＡＭ検波レベルがＡＭノイズ閾値Ｖｔｈａ以上と判定された場合の受信状況に相当する。更に、タイミングｔ３は、実際にノイズ成分が混入せず、ＡＭ検波レベルがＡＭノイズ閾値Ｖｔｈａ未満と判定された場合の受信状況に相当する。更に、タイミングｔ１は、実際にノイズ成分が混入しているものの、そのノイズ成分のレベルが小さく、ＡＭ検波レベルがＡＭノイズ閾値Ｖｔｈａ未満と判定された場合の受信状況に相当する。更に、タイミングｔ４は、実際にノイズ成分が混入していないものの、ＡＭ検波信号の変調成分等の影響でＡＭ検波レベルがＡＭノイズ閾値Ｖｔｈａ以上と判定された場合の受信状況に相当する。
【０００８】
しかしながら、従来の放送受信装置では、ＡＭノイズ閾値Ｖｔｈａが固定値であるため、ＡＭノイズ閾値Ｖｔｈａを高めに設定した場合、ＡＭノイズ成分の検出漏れが生じ、ノイズ無しの放送信号と誤認識してしまう。例えば、実際にノイズ成分が混入しているものの、そのノイズ成分のレベルが小さく、ＡＭ検波レベルがＡＭノイズ閾値Ｖｔｈａ未満と判定された場合、従来の放送受信装置では、ノイズ成分があるにもかかわらず、ＡＭノイズ成分を検出できない。その結果、従来の放送受信装置では、ＡＭノイズ成分無しの検出結果に基づき、ノイズ無しの放送信号と誤認識してしまう。
【０００９】
また、従来の放送受信装置では、ＡＭノイズ閾値Ｖｔｈａを低めに設定した場合、ＡＭノイズ成分の誤検出が生じ、誤検出したＡＭノイズ成分に基づき、ノイズ有りの放送信号と誤認識してしまう。例えば、実際にノイズ成分が混入していないものの、変調成分の影響等でＡＭ検波レベルがＡＭノイズ閾値Ｖｔｈａ以上と判定された場合、従来の放送受信装置では、ＡＭノイズ閾値Ｖｔｈａ以上の変調成分をＡＭノイズ成分と誤検出してしまう。その結果、従来の放送受信装置では、誤検出したＡＭノイズ成分に基づき、ノイズ有りの放送信号と誤認識してしまう。
【００１０】
本発明は上記点に鑑みてなされたものであり、その目的とするところは、受信環境に応じた放送信号のノイズ（雑音）有無を高精度に認識できる放送受信装置及び、放送受信装置の雑音成分検出方法を提供することにある。
【課題を解決するための手段】
【００１１】
上記目的を達成するために本発明の放送受信装置は、到来する放送電波を受信する受信部と、この受信部によって受信された放送電波の放送信号をＡＭ検波してＡＭ検波信号を取得するＡＭ検波部と、前記ＡＭ検波信号が所定雑音閾値を超えた信号部位を当該ＡＭ検波信号の雑音成分として検出するＡＭ検波用雑音検出部とを有する放送受信装置であって、前記放送信号をＦＭ検波してＦＭ検波信号を取得するＦＭ検波部と、前記ＦＭ検波部によって取得された前記ＦＭ検波信号に基づき、前記ＡＭ検波用雑音検出部の前記所定雑音閾値を設定変更する閾値制御部とを有するようにした。
【００１２】
また、本発明の放送受信装置の雑音成分検出方法は、到来する放送電波を受信する受信ステップと、この受信ステップによって受信された放送電波の放送信号をＡＭ検波してＡＭ検波信号を取得するＡＭ検波ステップと、前記ＡＭ検波信号が所定雑音閾値を超えた信号部位を当該ＡＭ検波信号の雑音成分として検出するＡＭ検波用雑音検出ステップと、前記放送信号をＦＭ検波してＦＭ検波信号を取得するＦＭ検波ステップと、前記ＦＭ検波ステップによって取得された前記ＦＭ検波信号に基づき、前記ＡＭ検波用雑音検出ステップの前記所定雑音閾値を設定変更する閾値制御ステップとを含むようにした。
【発明の効果】
【００１３】
上記のように構成された本発明の放送受信装置では、ＦＭ検波部によって取得されたＦＭ検波信号に基づき、ＡＭ検波用雑音検出部の所定雑音閾値を設定変更する。その結果、本発明では、ＦＭ検波信号を活用することで、ＡＭ検波信号のみでは認識できないような、例えば、小レベルのＡＭノイズ成分の検出漏れや、変調成分大によるＡＭノイズ成分の誤検出を確実に防止できる。つまり、本発明では、受信環境に対応する放送信号の雑音有無を高精度に認識できるという効果を奏する。
【図面の簡単な説明】
【００１４】
【図１】図１は、実施例１の放送受信装置の内部構成を示すブロック図である。
【図２】図２は、実施例１のノイズ検出部の内部構成を示すブロック図である。
【図３】図３は、ノイズ検出部内の各出力信号をアナログ的見地で表した説明図である。
【図４】図４は、閾値管理テーブルのテーブル内容の一例を示す説明図である。
【図５】図５は、ＦＭノイズレベルに応じてＡＭノイズ閾値の設定変更の遷移を示す説明図である。
【図６】図６は、ブランク処理部の処理内容を示す説明図である。
【図７】図７は、第１ノイズ検出処理に関わるノイズ検出部内部の処理動作を示すフローチャートである。
【図８】図８は、実施例２の放送受信装置の内部構成を示すブロック図である。
【図９】図９は、実施例２のノイズ検出部の内部構成を示すブロック図である。
【図１０】図１０は、第２ノイズ検出処理に関わるノイズ検出部内部の処理動作を示すフローチャートである。
【図１１】図１１は、過変調された放送電波を受信した場合の問題点を説明するための図である。
【図１２】図１２は、実施例３に係るノイズ検出部の内部構成を示すブロック図である。
【図１３】図１３は、過変調検知部および検波信号補正部の動作例を示す図である。
【図１４】図１４は、ＩＦ信号に対するＡＭ検波レベルのノイズ成分の有無を示す説明図である。
【発明を実施するための形態】
【００１５】
以下、図面に基づいて、本願の開示する放送受信装置及び放送受信装置の雑音成分検出方法の実施例を詳細に説明する。
【実施例１】
【００１６】
図１は、実施例１の放送受信装置の概略構成を示すブロック図である。図１に示す放送受信装置１は、例えば、ラジオ放送やテレビ放送等の放送電波を受信するＡＭ放送受信機やＦＭ放送受信機等の受信装置に相当する。放送受信装置１は、受信アンテナ１１、フロントエンド部１２、Ａ／Ｄ変換部１３、ＩＦノイズ処理部１４及びＩＦ処理部１５を有する。更に、放送受信装置１は、オーディオ周波数変換部１６、オーディオノイズ処理部１７、オーディオ処理部１８、スピーカ１９、電界レベル検出部２０及びノイズ検出部２１を有する。尚、Ａ／Ｄ変換部１３から後段のオーディオ処理部１８までの各種部位は、例えば、デジタルシグナルプロセッサ（ＤＳＰ）で構成するが、ＤＳＰに限定するものではない。
【００１７】
受信アンテナ１１は、到来するラジオ放送等の放送電波を受信する。フロントエンド部１２は、受信アンテナ１１で受信した放送電波を中間周波数信号（以下、単にＩＦ信号と称する）に変換する。Ａ／Ｄ変換部１３は、ＩＦ信号をデジタル変換する。ＩＦノイズ処理部１４は、ＩＦ信号のノイズ成分を除去するブランク処理を実行する。尚、ブランク処理とは、例えば、ＩＦ信号の連続する信号区間の内、ノイズ成分を含む除去対象区間を除去し、この除去した区間を信号補間する補間処理に相当する。ＩＦ処理部１５は、ブランク処理を施したＩＦ信号に対してデジタルフィルタ処理を実行する。尚、デジタルフィルタ処理は、到来する放送電波の放送周波数と隣接する隣接放送周波数のＩＦ信号を妨害信号として除去するフィルタ処理に相当する。
【００１８】
オーディオ周波数変換部１６は、デジタルフィルタ処理を施したＩＦ信号をオーディオ周波数信号（以下、単にオーディオ信号と称する）に変換する。オーディオノイズ処理部１７は、オーディオ信号のノイズ成分を除去するブランク処理を実行する。尚、ブランク処理は、オーディオ信号の連続する信号区間の内、ノイズ成分を含む除去対象区間を除去し、この除去した区間を信号補間する補間処理に相当する。また、ＩＦノイズ処理部１４は、ＩＦ信号段階で放送信号のノイズ成分を除去するブランク処理を実行するのに対し、オーディオノイズ処理部１７は、後段のオーディオ信号段階で放送信号のノイズ成分を除去するブランク処理を実行する。つまり、ＩＦノイズ処理部１４及びオーディオノイズ処理部１７は、２段構えでノイズ成分を除去することで、放送信号のノイズ成分を確実に低減することになる。また、オーディオ処理部１８は、オーディオ信号に対してオーディオ処理を実行する。尚、オーディオ処理とは、音声ミュート処理や高周波成分を除去するハイカット処理等に相当する。スピーカ１９は、オーディオ処理を施したオーディオ信号を音響出力する。
【００１９】
電界レベル検出部２０は、ＩＦ信号の受信電界レベルを検出し、この受信電界レベルをオーディオ処理部１８に入力する。オーディオ処理部１８は、受信電界レベルが所定レベル以上の場合、現在の受信電界レベルが良好と判断し、受信電界レベル良好時に対応したオーディオ処理を実行する。また、オーディオ処理部１８は、受信電界レベルが所定レベル未満の場合、現在の受信電界レベルが不良と判断し、受信電界レベル不良時に対応した、音声ミュート処理やハイカット処理等のオーディオ処理を実行する。
【００２０】
ノイズ検出部２１は、Ａ／Ｄ変換部１３経由で順次検出するＩＦ信号のＡＭ検波信号のノイズ成分を検出する。図２は、ノイズ検出部２１の内部構成を示すブロック図、図３は、ノイズ検出部２１内の各出力信号をアナログ的見地で表した説明図である。尚、説明の便宜上、ノイズ検出部２１内の各出力信号をアナログ波形で説明するが、実際にはデジタル的に処理されることは言うまでもない。
【００２１】
図２に示すノイズ検出部２１は、ＡＭ検波部３１、ＡＭノイズ検出部３２、ＦＭ検波部３３、ＦＭノイズレベル検出部３４、閾値管理テーブル３５及び閾値制御部３６を有する。ＡＭ検波部３１は、図３（Ａ）に示すＩＦ信号をＡＭ検波して、図３（Ｂ）に示すようにＡＭ検波信号を取得する。ＡＭノイズ検出部３２は、図３（Ｃ）に示すように、ＡＭ検波信号のＡＭ検波レベルが一定のＡＭノイズ閾値Ｖｔｈａ以上であるか否かを判定する。ＡＭノイズ検出部３２は、ＡＭ検波レベルの内、ＡＭノイズ閾値Ｖｔｈａ以上の信号部位をＡＭ検波信号のＡＭノイズ成分として検出する。尚、ＡＭノイズ検出部３２は、ＡＭノイズ成分を検出した場合、ハイレベル信号をブランク処理部１４Ａ（１７Ａ）に出力すると共に、ＡＭノイズ成分を検出しなかった場合、ローレベル信号をブランク処理部１４Ａ（１７Ａ）に出力する。
【００２２】
ＦＭ検波部３３は、ＩＦ信号をＦＭ検波して、図３（Ｄ）に示すようにＦＭ検波信号を取得する。ＦＭノイズレベル検出部３４は、ＦＭ検波信号のＦＭノイズ成分のレベルを検出すると、そのＦＭノイズレベルを閾値制御部３６に通知する。尚、ＦＭノイズ成分は、ＡＭノイズ成分のレベル変動に関係なく、ノイズ混入時に生じる位相乱れで発生する。従って、ＦＭノイズ成分を使用した場合、例えば、後述する図５のタイミングｔ１及びｔ２のようなＡＭノイズ検出部３２では検出しきれないノイズ成分の有無をも認識できる。
【００２３】
図４は、閾値管理テーブル３５のテーブル内容を示す説明図である。閾値管理テーブル３５は、図４に示すようにＦＭノイズレベルに応じてＡＭノイズ閾値Ｖｔｈａをリニアに管理している。尚、ＡＭノイズ閾値Ｖｔｈａは、最大値Ｘ１から最小値Ｘ２までの所定範囲を定め、ＦＭノイズレベルの上昇に連れて最大値Ｘ１から最小値Ｘ２方向へと低下する。また、ＦＭノイズレベルが閾値レベルＹを超えると、ＡＭノイズ閾値Ｖｔｈａは、最小値Ｘ２のままとなる。
【００２４】
図５は、ＦＭノイズレベルに応じてＡＭノイズ閾値Ｖｔｈａの設定変更の遷移を示す説明図である。尚、タイミングｔ１は、ＡＭノイズ成分がＡＭ検波信号の変調成分以下の受信状況に相当する。タイミングｔ２は、ＡＭノイズ成分が大きい受信状況に相当する。タイミングｔ３は、ＡＭノイズ成分がほぼ無しの受信状況に相当する。更に、タイミングｔ４は、ＡＭノイズ成分がないものの、ＡＭ検波信号の変調成分が大きい受信状況に相当する。
【００２５】
閾値制御部３６は、図５に示すように、通常、ＡＭノイズ検出部３２のＡＭノイズ閾値Ｖｔｈａを高めに設定する。
【００２６】
閾値制御部３６は、タイミングｔ１時点でＦＭノイズレベル検出部３４のＦＭノイズレベルを検出すると、ノイズ成分があると判断し、このＦＭノイズレベルに対応するＡＭノイズ閾値Ｖｔｈａを閾値管理テーブル３５から読み出す。更に、閾値制御部３６は、読み出したＡＭノイズ閾値ＶｔｈａをＡＭノイズ検出部３２のＡＭノイズ閾値Ｖｔｈａとして設定変更する。すなわち、閾値制御部３６は、ＦＭノイズレベルに応じてＡＭノイズ閾値Ｖｔｈａを低くすることでＡＭノイズ検出部３２のＡＭノイズ成分の検出感度を上げる。その結果、ＡＭノイズ検出部３２は、タイミングｔ１時点のＡＭ検波レベルがＡＭノイズ閾値Ｖｔｈａ以上になるため、従来技術では検出漏れとなったＡＭノイズ成分を検出できる。
【００２７】
また、閾値制御部３６は、タイミングｔ２時点でＦＭノイズレベル検出部３４のＦＭノイズレベルを検出すると、ノイズ成分があると判断し、このＦＭノイズレベルに対応するＡＭノイズ閾値Ｖｔｈａを閾値管理テーブル３５から読み出す。更に、閾値制御部３６は、読み出したＡＭノイズ閾値ＶｔｈａをＡＭノイズ検出部３２のＡＭノイズ閾値として設定変更する。すなわち、閾値制御部３６は、ＦＭノイズレベルに応じてＡＭノイズ閾値Ｖｔｈａを低くすることでＡＭノイズ検出部３２のＡＭノイズ成分の検出感度を上げる。その結果、ＡＭノイズ検出部３２は、タイミングｔ２時点のＡＭ検波レベルがＡＭノイズ閾値Ｖｔｈａ以上になるため、通常のＡＭノイズ閾値Ｖｔｈａを高めたとしても、ＡＭノイズ成分の検出漏れを防止できる。
【００２８】
また、閾値制御部３６は、タイミングｔ３時点でＦＭノイズレベル検出部３４のＦＭノイズレベルを検出しないため、ノイズ成分がないと判断し、通常のＡＭノイズ閾値ＶｔｈａをＡＭノイズ検出部３２のＡＭノイズ閾値Ｖｔｈａとして設定する。尚、閾値制御部３６は、通常のＡＭノイズ閾値Ｖｔｈａとして高めに設定しているため、ＡＭノイズ検出部３２のＡＭノイズ成分の検出感度を下げる。その結果、ＡＭノイズ検出部３２は、タイミングｔ３時点のＡＭ検波レベルがＡＭノイズ閾値未満になるため、ＡＭノイズ成分なしと判断できる。
【００２９】
また、閾値制御部３６は、タイミングｔ４時点でＦＭノイズレベル検出部３４のＦＭノイズレベルを検出しないため、ノイズ成分がないと判断し、通常のＡＭノイズ閾値ＶｔｈａをＡＭノイズ検出部３２のＡＭノイズ閾値Ｖｔｈａとして設定する。尚、閾値制御部３６は、ノイズ成分の混入なく、ＡＭ検波信号の変調成分が大きくなったとしても、通常のＡＭノイズ閾値Ｖｔｈａを高めに設定する。その結果、ＡＭノイズ検出部３２は、タイミングｔ４時点のＡＭ検波レベルがＡＭノイズ閾値未満になるため、ＡＭノイズ成分なしと判断し、従来技術のような変調成分大によるノイズ誤検出を確実に防止できる。
【００３０】
ＡＭノイズ検出部３２は、ＡＭ検波信号のＡＭ検波レベルが設定済みのＡＭノイズ閾値Ｖｔｈａ以上であるか否かを判定し、ＡＭノイズ閾値Ｖｔｈａ以上の信号部位をＡＭノイズ成分として検出する。ＡＭノイズ検出部３２は、ＡＭノイズ成分有りの場合、ＡＭノイズ成分有りのハイレベル信号をブランク処理部１４Ａ（１７Ａ）に通知する。また、ＡＭノイズ検出部３２は、ＡＭノイズ閾値Ｖｔｈａ未満の信号部位をＡＭノイズ成分無しとして検出し、ＡＭノイズ成分無しを示すローレベル信号をブランク処理部１４Ａ（１７Ａ）に通知する。
【００３１】
図６は、ブランク処理部１４Ａの処理内容を示す説明図である。ブランク処理部１４Ａは、ＡＭノイズ検出部３２のＡＭノイズ成分有りを示すハイレベル信号を検出すると、ＩＦ信号に対してブランク処理を実行する。尚、ブランク処理は、ＩＦ信号の連続する信号区間の内、ノイズ成分を含む除去対象区間を除去し、この除去した区間を信号補間する。また、信号補間は、除去対象区間の始点及び終点を直線的に信号補間する直線補間を採用する。また、ブランク処理部１４Ａは、ＡＭノイズ検出部３２のＡＭノイズ成分無しのローレベル信号を検出すると、ＩＦ信号に対するブランク処理の実行を禁止する。
【００３２】
また、オーディオノイズ処理部１７のブランク処理部１７Ａは、ＡＭノイズ検出部３２のＡＭノイズ成分有りを示すハイレベル信号を検出すると、オーディオ信号に対してブランク処理を実行する。尚、オーディオ信号に対するブランク処理は、オーディオ信号の連続する信号区間の内、ノイズ成分を含む除去対象区間を除去し、この除去した区間を直線的に信号補間する。また、ブランク処理部１７Ａは、ＡＭノイズ検出部３２のＡＭノイズ成分無しを示すローレベル信号を検出すると、オーディオ信号に対するブランク処理の実行を禁止する。
【００３３】
次に、実施例１の放送受信装置１の動作について説明する。図７は、第１ノイズ検出処理に関わるノイズ検出部２１内部の処理動作を示すフローチャートである。図７に示す第１ノイズ検出処理は、ＦＭノイズレベルに応じてＡＭノイズ検出部３２のＡＭノイズ閾値Ｖｔｈａを設定変更してＡＭノイズ成分の検出感度を制御することで放送信号のＡＭノイズ成分の有無を検出する処理である。
【００３４】
図７においてノイズ検出部２１のＡＭ検波部３１及びＦＭ検波部３３は、Ａ／Ｄ変換部１３経由のＩＦ信号を検出したか否かを判定する（ステップＳ１１）。ＡＭ検波部３１及びＦＭ検波部３３は、ＩＦ信号を検出した場合（ステップＳ１１肯定）、ＩＦ信号の内、同一タイミング時点の信号部位のＡＭ検波信号及びＦＭ検波信号を取得する（ステップＳ１２）。ノイズ検出部２１のＦＭノイズレベル検出部３４は、ＦＭ検波信号のＦＭノイズレベルを検出する（ステップＳ１３）。
【００３５】
ノイズ検出部２１の閾値制御部３６は、ＦＭノイズレベルを検出すると、このＦＭノイズレベルに対応したＡＭノイズ閾値Ｖｔｈａを閾値管理テーブル３５から読み出し（ステップＳ１４）、この読み出したＡＭノイズ閾値ＶｔｈａをＡＭノイズ検出部３２のＡＭノイズ閾値Ｖｔｈａに設定する（ステップＳ１５）。
【００３６】
ノイズ検出部２１のＡＭノイズ検出部３２は、ＡＭ検波信号のＡＭ検波レベルがＡＭノイズ閾値Ｖｔｈａ以上であるか否かを判定する（ステップＳ１６）。ＡＭノイズ検出部３２は、ＡＭ検波レベルがＡＭノイズ閾値Ｖｔｈａ以上である場合（ステップＳ１６肯定）、ＡＭノイズ成分有りと判断する（ステップＳ１７）。更に、ＡＭノイズ検出部３２は、ＡＭノイズ成分有りを示すハイレベル信号をブランク処理部１４Ａ、１７Ａに出力し（ステップＳ１８）、図７に示す処理動作を終了する。
【００３７】
また、ＡＭノイズ検出部３２は、ＡＭ検波レベルがＡＭノイズ閾値Ｖｔｈａ以上でない場合（ステップＳ１６否定）、ＡＭノイズ成分無しと判断する（ステップＳ１９）。更に、ＡＭノイズ検出部３２は、ＡＭノイズ成分無しを示すローレベル信号をブランク処理部１４Ａ、１７Ａに出力し（ステップＳ２０）、図７に示す処理動作を終了する。また、ＡＭ検波部３１及びＦＭ検波部３３は、ＩＦ信号を検出しなかった場合（ステップＳ１１否定）、図７に示す処理動作を終了する。
【００３８】
図７に示す第１ノイズ検出処理では、ＦＭ検波信号のＦＭノイズレベルを検出すると、このＦＭノイズレベルに対応するＡＭノイズ閾値Ｖｔｈａを閾値管理テーブル３５から読み出し、読み出したＡＭノイズ閾値ＶｔｈａをＡＭノイズ検出部３２のＡＭノイズ閾値Ｖｔｈａに設定変更する。その結果、従来のようにＡＭノイズ閾値Ｖｔｈａを高めに設定した場合のＡＭノイズ成分の検出漏れを確実に防止できると共に、ＡＭノイズ閾値Ｖｔｈａを低めに設定した場合のＡＭノイズ成分の誤検出を確実に防止できる。
【００３９】
実施例１では、ＦＭ検波信号のＦＭノイズレベルを検出すると、このＦＭノイズレベルに対応するＡＭノイズ閾値Ｖｔｈａを閾値管理テーブル３５から読み出し、読み出したＡＭノイズ閾値ＶｔｈａをＡＭノイズ検出部３２のＡＭノイズ閾値Ｖｔｈａに設定変更する。その結果、従来のようにＡＭノイズ閾値Ｖｔｈａを高めに設定した場合のＡＭノイズ成分の検出漏れを確実に防止できると共に、ＡＭノイズ閾値Ｖｔｈａを低めに設定した場合のＡＭノイズ成分の誤検出を確実に防止できる。
【００４０】
更に、実施例１では、ＡＭ検波信号のＡＭノイズ成分の有無を判定するＡＭノイズ検出部３２のＡＭノイズ閾値Ｖｔｈａを設定変更する際に、ＡＭ検波信号のみでは認識できないＦＭ検波信号のＦＭノイズレベルを活用する。その結果、ＡＭ検波信号のみでは認識できないような、例えば、小レベルのＡＭノイズ成分の検出漏れや、変調成分大によるＡＭノイズ成分の誤検出を確実に防止できる。つまり、受信環境に対応する放送信号のノイズ有無を高精度に認識できる。
【００４１】
尚、上記実施例１では、ＦＭノイズレベルを検出すると、１個の閾値管理テーブル３５からＦＭノイズレベルに対応するＡＭノイズ閾値Ｖｔｈａを読み出すようにした。しかしながら、放送受信装置１は、搭載車両の移動に応じて受信環境が大きく変動する。その結果、受信環境の変動に応じて、ＦＭノイズレベルに対応するＡＭノイズ閾値Ｖｔｈａも変動する必要がある。
【実施例２】
【００４２】
そこで、このような事態に対処すべく、放送受信装置の実施例につき、実施例２として説明する。図８は、実施例２の放送受信装置の内部構成を示すブロック図、図９は、実施例２のノイズ検出部の内部構成を示すブロック図である。尚、実施例１の放送受信装置１と同一の構成については、同一符号を付すことで、その重複する構成及び動作の説明については省略する。
【００４３】
先ず、実施例２の放送受信装置１Ａが実施例１の放送受信装置１と異なるところは、閾値管理テーブル３５が１個ではなく、放送電波の受信電界レベルに対応した閾値管理テーブル３５を複数備えた点にある。
【００４４】
ノイズ検出部２１Ａは、複数の閾値管理テーブル３５を管理するテーブル管理部３８を有する。テーブル管理部３８は、受信電界レベル毎に、受信電界レベルに対応した閾値管理テーブル３５を管理する。
【００４５】
閾値制御部３６Ａは、ＦＭノイズレベル検出部３４のＦＭノイズレベルを検出すると、電界レベル検出部２０にて検出した現在の受信電界レベルに対応する閾値管理テーブル３５をテーブル管理部３８から選択する。閾値制御部３６Ａは、閾値管理テーブル３５を選択すると、選択した閾値管理テーブル３５からＦＭノイズレベルに対応したＡＭノイズ閾値Ｖｔｈａを読み出し、読み出したＡＭノイズ閾値ＶｔｈａをＡＭノイズ検出部３２のＡＭノイズ閾値Ｖｔｈａに設定する。
【００４６】
次に、実施例２の放送受信装置１Ａの動作について説明する。図１０は、実施例２の第２ノイズ検出処理に関わるノイズ検出部２１Ａの処理動作を示すフローチャートである。図１０に示す第２ノイズ検出処理は、現在の受信電界レベルに対応した閾値管理テーブル３５を使用して、ＦＭノイズレベルに応じてＡＭノイズ検出部３２のＡＭノイズ閾値Ｖｔｈａを設定変更してＡＭノイズ成分の検出感度を制御することで放送信号のＡＭノイズ成分の有無を検出する処理である。
【００４７】
図１０においてノイズ検出部２１Ａの閾値制御部３６Ａは、ステップＳ１３にてＦＭ検波信号のＦＭノイズレベルを検出すると、現在の受信電界レベルに対応する閾値管理テーブル３５をテーブル管理部３８から選択する（ステップＳ２１）。尚、閾値制御部３６Ａは、電界レベル検出部２０を通じて現在受信中の放送信号の受信電界レベルを検出する。閾値制御部３６Ａは、現在の受信電界レベルに対応する閾値管理テーブル３５を選択すると、この選択した閾値管理テーブル３５からＦＭノイズレベルに対応したＡＭノイズ閾値Ｖｔｈａを読み出す（ステップＳ２２）。更に、閾値制御部３６Ａは、この読み出したＡＭノイズ閾値ＶｔｈａをＡＭノイズ検出部３２のＡＭノイズ閾値Ｖｔｈａに設定すべく、ステップＳ１５に移行する。
【００４８】
図１０に示す第２ノイズ検出処理では、ＦＭ検波信号のＦＭノイズレベルを検出すると、現在の受信電界レベルに対応した閾値管理テーブル３５を選択し、この閾値管理テーブル３５からＦＭノイズレベルに対応するＡＭノイズ閾値Ｖｔｈａを読み出す。更に、第２ノイズ検出処理では、読み出したＡＭノイズ閾値ＶｔｈａをＡＭノイズ検出部３２のＡＭノイズ閾値Ｖｔｈａに設定変更する。その結果、現在の受信環境に適した閾値管理テーブル３５を使用して従来のようにＡＭノイズ閾値Ｖｔｈａを高めに設定した場合のＡＭノイズ成分の検出漏れを確実に防止できると共に、ＡＭノイズ閾値Ｖｔｈａを低めに設定した場合のＡＭノイズ成分の誤検出を確実に防止できる。
【００４９】
実施例２では、ＦＭ検波信号のＦＭノイズレベルを検出すると、現在の受信電界レベルに対応した閾値管理テーブル３５を選択し、この閾値管理テーブル３５からＦＭノイズレベルに対応するＡＭノイズ閾値Ｖｔｈａを読み出す。更に、第２ノイズ検出処理では、読み出したＡＭノイズ閾値ＶｔｈａをＡＭノイズ検出部３２のＡＭノイズ閾値Ｖｔｈａに設定変更する。その結果、現在の受信環境に適した閾値管理テーブル３５を使用して従来のようにＡＭノイズ閾値Ｖｔｈａを高めに設定した場合のＡＭノイズ成分の検出漏れを確実に防止できると共に、ＡＭノイズ閾値Ｖｔｈａを低めに設定した場合のＡＭノイズ成分の誤検出を確実に防止できる。
【実施例３】
【００５０】
ところで、放送電波の送信を行う放送局では、放送エリアを拡大させることを目的として、放送電波を過変調させて送信する場合がある。ここで、「過変調」とは、放送電波の変調率が規定値（具体的には、１００％）を超えた状態をあらわす。
【００５１】
そして、実施例１および実施例２に係る放送受信装置１では、過変調された放送電波が入力された場合に、実際にはノイズ成分が含まれていないにもかかわらずＡＭノイズが誤検出され、音声歪みが発生するという問題があった。
【００５２】
ここで、かかる問題点について図１１を用いて具体的に説明する。図１１は、過変調された放送電波を受信した場合の問題点を説明するための図である。なお、同図の（Ａ）には、過変調された放送電波を含んだＡＭ検波信号の一例を、同図の（Ｂ）には、同図の（Ａ）に示したＡＭ検波信号に対応するＦＭ検波信号をそれぞれ示している。
【００５３】
同図の（Ａ）に示したように、過変調された放送電波を受信した区間では、ＡＭ検波信号の位相が反転する。たとえば、同図の（Ａ）では、過変調された放送電波が時間ｔ１〜ｔ２の期間および時間ｔ３〜ｔ４の期間において入力されている。かかる場合、ＡＭ検波信号の位相は、時間ｔ１〜ｔ２の期間および時間ｔ３〜ｔ４の期間においてＡＭ検波レベル「０」を中心として反転する。
【００５４】
また、ＡＭ検波信号に位相反転が生じると、ＡＭ検波レベルが急激に変化することとなり、この結果、ＦＭ検波信号には、同図の（Ｂ）に示したように、位相が反転したタイミング（ここでは、時間ｔ１〜ｔ４）を中心としたピークが現れる。そして、閾値制御部３６は、これらのピークのレベルに対応するＡＭノイズ閾値をＡＭノイズ検出部３２に対して設定することとなる（図４参照）。
【００５５】
この結果、ＡＭノイズ検出部３２は、通常よりも低く設定されたＡＭノイズ閾値を用いてＡＭノイズの検出を行うこととなるため、実際にはノイズ成分が含まれていないにもかかわらずＡＭノイズを誤検出するおそれがある。そして、ＡＭノイズの誤検出が生じると、ブランク処理部１４Ａおよび１７Ａによってブランク処理が実行され、音声歪みが発生してしまうこととなる。そこで、実施例３では、ＡＭノイズの誤検出を防止することで、音声歪みの発生を抑えることとした。
【００５６】
図１２は、実施例３に係るノイズ検出部２１Ｂの内部構成を示すブロック図である。尚、実施例１に係るノイズ検出部２１と同一の構成については、同一符号を付すことで、その重複する構成及び動作の説明については省略する。
【００５７】
同図に示すように、実施例３に係るノイズ検出部２１Ｂは、過変調検知部４０と、検波信号補正部４２とをさらに備えている。過変調検知部４０は、ＡＭ検波部３１からＡＭ検波信号を受け取り、受け取ったＡＭ検波信号のＡＭ検波レベルに基づいて過変調の有無を検知する処理部である。
【００５８】
具体的には、過変調検知部４０は、ＡＭ検波信号が反転するタイミング、すなわち、ＡＭ検波レベルが「０」となるタイミングを検知することによって過変調の有無を検知する。また、過変調検知部４０は、ＡＭ検波レベルが「０」となるタイミングを検知すると、かかる検知結果を検波信号補正部４２へ出力する処理を行う。
【００５９】
なお、以下では、ＡＭ検波レベルが「０」となるタイミングを「ゼロ点」と呼ぶこととする。図１１の（Ａ）に示した場合には、時間ｔ１〜ｔ４がそれぞれゼロ点に相当する。
【００６０】
検波信号補正部４２は、過変調検知部４０による過変調の検知結果に基づき、ＦＭ検波部３３によって検波されたＦＭ検波信号のＦＭ検波レベルを補正する処理部である。
【００６１】
具体的には、検波信号補正部４２は、過変調検知部４０からゼロ点の検知結果が入力されると、ゼロ点を含む所定期間において検波されたＦＭ検波信号のＦＭ検波レベルに対して「０」を掛け合わせることによってＦＭ検波信号のＦＭ検波レベルを「０」に補正する。かかる補正によって、ＡＭノイズ誤検出の原因となるゼロ点を中心としたピークが除去される。
【００６２】
なお、ＦＭ検波部３３から出力されたＦＭ検波信号をリアルタイムに補正することとすると、ＡＭノイズの誤検出を適切に防止することができないおそれがある。これは、ＡＭノイズ誤検出の原因となるゼロ点を中心としたピークが、ゼロ点より前のタイミングから現れ始めるからである（図１１の（Ｂ）参照）。
【００６３】
そこで、検波信号補正部４２は、ゼロ点を中心としたピークを適切に除去するために、ＦＭ検波部３３から出力されるＦＭ検波信号を一定期間保持し、事後的に補正することとしている。
【００６４】
また、検波信号補正部４２は、補正後の検波信号をＦＭノイズレベル検出部３４へ出力する処理も行う。
【００６５】
次に、過変調検知部４０および検波信号補正部４２の動作例について図１３を用いて説明する。図１３は、過変調検知部４０および検波信号補正部４２の動作例を示す図である。なお、同図の（Ａ）に示したＡＭ検波信号は、図１１の（Ａ）に示したＡＭ検波信号と同一である。図１３の（Ａ）に示したように、過変調検知部４０は、ＡＭ検波信号のゼロ点である時間ｔ１〜ｔ４を検知し、検知結果を検波信号補正部４２へ出力する。
【００６６】
また、同図の（Ｂ）に示したように、検波信号補正部４２は、ゼロ点を中心とする所定期間において検波されたＦＭ検波信号のＦＭ検波レベルに対して「０」を掛け合わせる。たとえば、ゼロ点ｔ１が検知された場合には、ゼロ点ｔ１を中心とする時間ｔ１ａ〜時間ｔ１ｂの期間において検波されたＦＭ検波信号のＦＭ検波レベルに対して「０」を掛け合わせる。
【００６７】
これにより、同図の（Ｃ）に示したように、ゼロ点を中心とする所定期間において検波されたＦＭ検波信号のＦＭ検波レベルが「０」となり、ＡＭノイズ誤検出の原因となるゼロ点を中心とするピークを除去することができる。
【００６８】
このように、ＡＭ検波信号の位相が反転するタイミングを含む所定期間において検波されたＦＭ検波信号からゼロ点を中心とするピークを除去することで、ＡＭノイズの誤検出を防止することができる。そして、この結果、実際にはノイズ成分がない区間においてブランク処理が実行されることがなくなり、音声歪みの発生を抑えることができる。
【００６９】
なお、ここでは、ＦＭ検波信号に対して所定の乗数を掛け合わせることによってゼロ点を中心としたピークを除去する場合について説明したが、これに限ったものではない。たとえば、検波信号補正部４２は、ゼロ点を中心とする期間において検波されたＦＭ検波信号のＦＭ検波レベルをあらかじめ設定された値へ置換することとしてもよい。
【００７０】
ここで、あらかじめ設定された値を「０」とした場合には、ＦＭ検波信号に対して「０」を掛け合わせた場合と同様の結果となる。ただし、ＦＭ検波レベルの定常値が「０」より大きい場合には、ＦＭ検波レベルを「０」に置換すると、閾値制御部３６によってＡＭノイズ閾値が通常よりも高めに設定されてしまうおそれがある。そこで、かかる場合にはあらかじめ設定された値としてＦＭ検波レベルの定常値を用いることとすれば、閾値制御部３６によるＡＭノイズ閾値の設定をより適切に行うことができる。
【００７１】
上述してきたように、実施例３では、過変調検知部が、ＡＭ検波信号の位相が反転するタイミングを検知し、ＦＭ検波信号補正部が、過変調検知部によって検知されたタイミングを含む所定期間において検波されたＦＭ検波信号のＦＭ検波レベルを補正することとした。したがって、ＡＭノイズの誤検出を防止することができ、この結果、音声歪みの発生を抑えることができる。
【００７２】
尚、上述してきた各実施例では、ＩＦノイズ処理部１４のブランク処理部１４Ａ及びオーディオノイズ処理部１７のブランク処理部１７Ａを使用してブランク処理を実行した。しかしながら、ＩＦノイズ処理部１４又はオーディオノイズ処理部１７の何れか一方のブランク処理部１４Ａ（１７Ａ）のみを使用してブランク処理を実行しても良く、この場合はブランク処理部が１個で済む。また、上記実施例では、ブランク処理として除去対象区間の始点及び終点を直線的に信号補間する直線補間を例に挙げて説明したが、除去対象区間の始点及び終点を除去前のノイズ成分直前の信号を使用して補間する前置補間を採用しても良い。
【００７３】
また、同様に、順次検出するＩＦ信号を履歴保持し、履歴保持中のＩＦ信号から除去対象区間の正常時の信号部位に近似する信号部位を読み出し、この読み出した信号部位を使用して除去対象区間の始点及び終点を補間する線形予測補間を採用しても良い。
【００７４】
更に、各実施例では、ＩＦ信号（オーディオ信号）のノイズ成分を除去する際にブランク処理を採用したが、ノイズ成分を除去する他の処理方法を採用したとしても同様の効果が得られることは言うまでもない。
【００７５】
また、各実施例では、ラジオ受信機を例に挙げて説明したが、テレビ受信機等に採用しても良い。
【００７６】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【符号の説明】
【００７７】
１  放送受信装置
１Ａ  放送受信装置
１１  受信アンテナ
１４Ａ  ブランク処理部
１７Ａ  ブランク処理部
２１  ノイズ検出部
２１Ａ  ノイズ検出部
３１  ＡＭ検波部
３２  ＡＭノイズ検出部
３３  ＦＭ検波部
３４  ＦＭノイズレベル検出部
３５  閾値管理テーブル
３６  閾値制御部
３６Ａ  閾値制御部
３８  テーブル管理部
４０  過変調検知部
４２  検波信号補正部
【図１】
2011199825.tif 000003
【図２】
2011199825.tif 000004
【図３】
2011199825.tif 000005
【図４】
2011199825.tif 000006
【図５】
2011199825.tif 000007
【図６】
2011199825.tif 000008
【図７】
2011199825.tif 000009
【図８】
2011199825.tif 000010
【図９】
2011199825.tif 000011
【図１０】
2011199825.tif 000012
【図１１】
2011199825.tif 000013
【図１２】
2011199825.tif 000014
【図１３】
2011199825.tif 000015
【図１４】
2011199825.tif 000016